(57)【特許請求の範囲】
【請求項１】
端末アプリケーションを管理するための方法であって、
アプリケーションアイコンのフォルダ間移動トリガーイベントが存在することを監視する時、現デスクトップの可視領域に少なくとも１つのターゲットフォルダを表示することであって、前記ターゲットフォルダが前記アプリケーションアイコンが置かれる第１フォルダとは異なることと、
前記アプリケーションアイコンのフォルダ間移動終了イベントが存在することを監視する時、前記少なくとも１つのターゲットフォルダから選択ターゲットフォルダを決定し、前記第１フォルダから前記アプリケーションアイコンを削除し、かつ前記アプリケーションアイコンを前記選択ターゲットフォルダ内に付加することを含み、
前記現デスクトップの可視領域に少なくとも１つのターゲットフォルダを表示することは、現デスクトップの可視領域にすべてのデスクトップ中の前記第１フォルダ以外のフォルダを表示することを含む方法。
【請求項２】
前記アプリケーションアイコンを前記第１フォルダから削除し、かつ前記アプリケーションアイコンを前記選択ターゲットフォルダ内に付加した後、展開した前記第１フォルダを現アクティブインターフェースとして維持することを更に含む請求項１の方法。
【請求項３】
前記アプリケーションアイコンのフォルダ間移動トリガーイベントが存在することを監視することは、展開した第１フォルダにおいて、移動される前記アプリケーションアイコン上で実行される所定のアクションが存在することを監視することを含む請求項１又は２に記載の方法。
【請求項４】
前記現デスクトップの可視領域に少なくとも１つのターゲットフォルダを表示することは、前記ターゲットフォルダの数が、現デスクトップの可視領域内の事前に設定したターゲットフォルダ表示領域に配置可能なフォルダの数を超える場合、現デスクトップの可視領域において複数のページに前記ターゲットフォルダを表示することを含み、
該方法は、他のページにターゲットフォルダを表示するように前記ターゲットフォルダ表示領域をスライドすることを更に含む請求項１〜３のいずれか１項の方法。
【請求項５】
前記アプリケーションアイコンのフォルダ間移動終了イベントが存在することを監視することは、前記アプリケーションアイコンが押された状態から解放された状態へと切り替わることを監視すること、又は、前記ターゲットフォルダ上に選択操作が存在することを監視することを含む請求項１〜４のいずれか１項の方法。
【請求項６】
前記第１フォルダから前記アプリケーションアイコンを削除し、かつ前記アプリケーションアイコンを選択ターゲットフォルダ内に付加することは、前記アプリケーションアイコンを前記第１フォルダから削除し、かつ前記アプリケーションアイコン以外のアプリケーションアイコンを事前に設定した規則に従って第１フォルダに配列して表示することと、前記アプリケーションアイコンを、前記選択ターゲットフォルダ内の事前に設定した位置に付加することを含む請求項１〜５のいずれか１項の方法。
【請求項７】
前記アプリケーションアイコンのフォルダ間移動キャンセルイベントが存在することを監視する時、現デスクトップの可視領域におけるターゲットフォルダの表示をキャンセルすることを更に含む請求項１〜６のいずれか１項の方法。
【請求項８】
前記アプリケーションアイコンのフォルダ間移動キャンセルイベントが存在することを監視することは、事前に設定したキャンセルジェスチャーが前記現デスクトップ上で実行されることを監視することであって、前記事前に設定したキャンセルジェスチャーが前記アプリケーションアイコンのフォルダ間移動キャンセル操作に対応すること、又は、
前記端末の事前に設定したキーに対する事前に設定したキャンセル操作が存在することを監視することであって、前記事前に設定したキーに対する事前に設定したキャンセル操作が、前記アプリケーションアイコンのフォルダ間移動キャンセル操作に対応することを含む請求項７の方法。
【請求項９】
端末アプリケーションを管理するための端末であって、
アプリケーションアイコンのフォルダ間移動トリガーイベントが存在することを監視する時、現デスクトップの可視領域に少なくとも１つのターゲットフォルダを表示するように構成されるターゲットフォルダ表示モジュールであって、前記ターゲットフォルダが前記アプリケーションアイコンが置かれる第１フォルダとは異なるターゲットフォルダ表示モジュールと、
前記アプリケーションアイコンのフォルダ間移動終了イベントが存在することを監視する時、前記少なくとも１つのターゲットフォルダから選択ターゲットフォルダを決定し、前記第１フォルダから前記アプリケーションアイコンを削除し、かつ前記アプリケーションアイコンを前記選択ターゲットフォルダ内に付加するように構成されるフォルダ間移動モジュールとを備え、
前記ターゲットフォルダ表示モジュールは、現デスクトップの可視領域にすべてのデスクトップ中の前記第１フォルダ以外のフォルダを表示するように構成される第２表示サブモジュールを備える端末。
【請求項１０】
前記フォルダ間移動モジュールが前記アプリケーションアイコンを前記選択ターゲットフォルダ内に付加した後、展開した前記第１フォルダを現アクティブインターフェースとして維持するように構成される維持モジュールを更に備える請求項９の端末。
【請求項１１】
展開した第１フォルダにおいて、移動される前記アプリケーションアイコン上で実行される所定のアクションを監視するように構成される第１監視モジュールを更に備える請求項９又は１０の端末。
【請求項１２】
前記ターゲットフォルダ表示モジュールは、前記ターゲットフォルダの数が、現デスクトップの可視領域内の事前に設定したターゲットフォルダ表示領域に配置可能なフォルダの数を超える場合、前記ターゲットフォルダを複数のページに表示するように構成される第３表示サブモジュールを備え、
前記端末は、
前記ターゲットフォルダ表示領域をスライドして、他のページにターゲットフォルダを表示するように構成されるスライドモジュールを更に備える請求項９〜１１のいずれか１項の端末。
【請求項１３】
前記アプリケーションアイコンが押された状態から解放された状態へと切り替わることを監視するように構成される第２監視モジュール、又は、
前記ターゲットフォルダ上の選択操作を監視するように構成される第３監視モジュールを更に備える請求項９〜１２のいずれか１項の端末。
【請求項１４】
前記フォルダ間移動モジュールは、
前記第１フォルダにおいて、前記アプリケーションアイコン以外のアプリケーションアイコンを事前に設定した規則に従って配列して表示するように構成される配列サブモジュールと、
前記アプリケーションアイコンを、前記選択ターゲットフォルダ内の事前に設定した位置に付加するように構成される付加サブモジュールとを備える請求項９〜１３のいずれか１項の端末。
【請求項１５】
前記アプリケーションアイコンのフォルダ間移動キャンセルイベントを監視するように構成される第４監視モジュールと、
前記アプリケーションアイコンのフォルダ間移動キャンセルイベントが存在することが監視される時、現デスクトップの可視領域におけるターゲットフォルダの表示をキャンセルするように構成されるキャンセルモジュールとを更に備える請求項９〜１４のいずれか１項の端末。
【請求項１６】
前記第４監視モジュールは、
現デスクトップ上で実行される事前に設定したキャンセルジェスチャーを監視するように構成される第１監視サブモジュールであって、前記事前に設定したキャンセルジェスチャーが前記アプリケーションアイコンのフォルダ間移動キャンセル操作に対応する第１監視サブモジュール、又は、
前記端末の事前に設定したキーに対する事前に設定したキャンセル操作を監視するように構成される第２監視サブモジュールであって、前記端末の事前に設定したキーに対する事前に設定したキャンセル操作が前記アプリケーションアイコンのフォルダ間移動キャンセル操作に対応する第２監視サブモジュールとを備える請求項１５の端末。
【請求項１７】
コンピュータの実行時に請求項１〜８のいずれか１項に記載の端末アプリケーションを管理する方法を前記コンピュータに実行させるためのコンピュータプログラム。
【請求項１８】
請求項１７に記載のコンピュータプログラムを含むコンピュータ可読記憶媒体。
【発明の詳細な説明】
【技術分野】
【０００１】
関連出願に対する相互参照
この出願は、２０１５年５月２９日付け出願の中国特許出願シリアル第２０１５１０２９１０９０．９号に基づきかつこの先の出願に対し優先権を主張する。前記先の出願の全内容は参照によりここに組み込まれる。
【０００２】
技術分野
本発明は、端末分野に関し、より詳しくは、端末アプリケーションを管理するための方法及び装置に関する。
【背景技術】
【０００３】
多くのスマートフォンユーザは、フォルダ内にアプリケーションをまとめて格納する傾向にある。日々のアプリケーションの増加により、デスクトップ上のアプリケーションフォルダは、ますます重要な働きをしている。
【０００４】
現在ほとんどのモバイル端末のオペレーティングシステムでは、１つのフォルダから別のフォルダへとアプリケーションを移動させるための一般的な操作方法は次のようになる。
１．アプリケーションが置かれているフォルダを開く。
２．前記フォルダの前記アプリケーションを長押しする。
３．前記アプリケーションをドラッグしてフォルダインターフェースから出す（システムスクリーンジャンプ）。
４．デスクトップ上でアプリケーションをドラッグしてターゲットフォルダを見つけ出す。
５．アプリケーションをドラッグし、ターゲットフォルダが自動的に開く（システムスクリーンジャンプ）までターゲットフォルダ上で止める。
６．ターゲットフォルダにおいてアプリケーションを置くための位置を選択した後、アプリケーションを長押しする指を解放する。
【発明の概要】
【発明が解決しようとする課題】
【０００５】
関連技術に存在する問題を克服するため、本開示の実施形態は、端末アプリケーションを管理しつつユーザの操作を簡易化することができる端末アプリケーションを管理するための方法及び装置を提供する。
【課題を解決するための手段】
【０００６】
本開示の実施形態の第１側面によれば、端末アプリケーションを管理するための方法であって、アプリケーションアイコンのフォルダ間移動トリガーイベントが存在することを監視（観察）する時、現デスクトップの可視領域に少なくとも１つのターゲットフォルダを表示することであって、前記ターゲットフォルダが前記アプリケーションアイコンが置かれる第１フォルダとは異なることと、前記アプリケーションアイコンのフォルダ間移動終了イベントが存在することを監視する時、前記少なくとも１つのターゲットフォルダから選択ターゲットフォルダを決定し、前記第１フォルダから前記アプリケーションアイコンを削除し、かつ前記アプリケーションアイコンを前記選択ターゲットフォルダ内に付加することを含む方法が提供される。
【０００７】
前記方法は、前記アプリケーションアイコンを前記第１フォルダから除去し、かつ前記アプリケーションアイコンを前記選択ターゲットフォルダ内に付加した後、展開した前記第１フォルダを現アクティブインターフェースとして維持することを更に含む。
【０００８】
前記アプリケーションアイコンのフォルダ間移動トリガーイベントが存在することを監視することは、展開した第１フォルダにおいて、移動される前記アプリケーションアイコン上で実行される所定のアクションが存在することを監視することを含む。
【０００９】
前記現デスクトップの可視領域に少なくとも１つのターゲットフォルダを表示することは、現デスクトップの可視領域に現デスクトップの前記第１フォルダ以外のフォルダを表示すること、又は、現デスクトップの可視領域にすべてのデスクトップ中の前記第１フォルダ以外のフォルダを表示することを含む。
【００１０】
前記現デスクトップの可視領域に少なくとも１つのターゲットフォルダを表示することは、前記ターゲットフォルダの数が、現デスクトップの可視領域内の事前に設定したターゲットフォルダ表示領域に配置可能なフォルダの数を超える場合、現デスクトップの可視領域において複数のページに前記ターゲットフォルダを表示することを含み、該方法は、他のページにターゲットフォルダを表示するように前記ターゲットフォルダ表示領域をスライドすることを更に含む。
【００１１】
前記アプリケーションアイコンのフォルダ間移動終了イベントが存在することを監視することは、前記アプリケーションアイコンが押された状態から解放された状態へと切り替わることを監視すること、又は、前記ターゲットフォルダ上に選択操作が存在することを監視することを含む。
【００１２】
前記第１フォルダから前記アプリケーションアイコンを削除し、かつ前記アプリケーションアイコンを選択ターゲットフォルダ内に付加することは、前記アプリケーションアイコンを前記第１フォルダから削除し、かつ前記アプリケーションアイコン以外のアプリケーションアイコンを事前に設定した規則に従って第１フォルダに配列して表示することと、前記アプリケーションアイコンを、前記選択ターゲットフォルダ内の事前に設定した位置に付加することを含む。
【００１３】
前記方法は、前記アプリケーションアイコンのフォルダ間移動キャンセルイベントが存在することを監視する時、現デスクトップの可視領域におけるターゲットフォルダの表示をキャンセルすることを更に含む。
【００１４】
前記アプリケーションアイコンのフォルダ間移動キャンセルイベントが存在することを監視することは、事前に設定したキャンセルジェスチャーが前記現デスクトップ上で実行されることを監視することであって、前記事前に設定したキャンセルジェスチャーが前記アプリケーションアイコンのフォルダ間移動キャンセル操作に対応すること、又は、前記端末の事前に設定したキーに対する事前に設定したキャンセル操作が存在することを監視することであって、前記事前に設定したキーに対する事前に設定したキャンセル操作が、前記アプリケーションアイコンのフォルダ間移動キャンセル操作に対応することを含む。
【００１５】
本開示の実施形態の第２側面によれば、端末アプリケーションを管理するための端末であって、アプリケーションアイコンのフォルダ間移動トリガーイベントを監視するように構成される第１監視モジュールと、前記アプリケーションアイコンのフォルダ間移動トリガーイベントが存在することが監視される時、現デスクトップの可視領域に少なくとも１つのターゲットフォルダを表示するように構成される表示モジュールであって、前記ターゲットフォルダが前記アプリケーションアイコンが置かれる第１フォルダとは異なる表示モジュールと、前記アプリケーションアイコンのフォルダ間移動終了イベントを監視するように構成される第２監視モジュールと、前記アプリケーションアイコンのフォルダ間移動終了イベントが存在することが確認される時、前記少なくとも１つのターゲットフォルダから選択ターゲットフォルダを決定するように構成される決定モジュールと、前記第１フォルダから前記アプリケーションアイコンを削除するように構成される削除モジュールと、前記アプリケーションアイコンを前記選択ターゲットフォルダ内に付加するように構成される付加モジュールとを含む。
【００１６】
前記端末は、展開した前記第１フォルダを現アクティブインターフェースとして維持するように構成される維持モジュールを更に含む。
【００１７】
前記第１監視モジュールは、展開した前記第１フォルダにおいて、移動される前記アプリケーションアイコン上で実行される所定のアクションを監視するように更に構成される。
【００１８】
前記表示モジュールは、現デスクトップの可視領域に現デスクトップの第１フォルダ以外のフォルダを表示するように構成される第１表示サブモジュール、又は、現デスクトップの可視領域にすべてのデスクトップ中の前記第１フォルダ以外のフォルダを表示するように構成される第２表示サブモジュールを含む。
【００１９】
前記表示モジュールは、前記ターゲットフォルダの数が、現デスクトップの可視領域内の事前に設定したターゲットフォルダ表示領域に配置可能なフォルダの数を超える場合、前記ターゲットフォルダを複数のページに表示するように構成される第３表示サブモジュールを更に含み、前記装置は、前記ターゲットフォルダ表示領域をスライドして、他のページにターゲットフォルダを表示するように構成されるスライドモジュールを更に含む。
【００２０】
前記第２監視モジュールは、前記アプリケーションアイコンが押された状態から解放された状態へと切り替わることを監視するように構成される第１監視サブモジュール、又は、前記ターゲットフォルダ上の選択操作を監視するように構成される第２監視サブモジュールを含む。
【００２１】
前記付加モジュールは、前記第１フォルダにおいて、前記アプリケーションアイコン以外のアプリケーションアイコンを事前に設定した規則に従って配列して表示するように構成される配列サブモジュールと、前記アプリケーションアイコンを、前記選択ターゲットフォルダ内の事前に設定した位置に付加するように構成される付加サブモジュールとを含む。
【００２２】
前記端末は、前記アプリケーションアイコンのフォルダ間移動キャンセルイベントを監視するように構成される第３監視モジュールと、前記アプリケーションアイコンのフォルダ間移動キャンセルイベントが存在することが監視される時、現デスクトップの可視領域におけるターゲットフォルダの表示をキャンセルするように構成されるキャンセルモジュールとを更に含む。
【００２３】
前記第３監視モジュールは、現デスクトップ上で実行される事前に設定したキャンセルジェスチャーを監視するように構成される第１監視サブモジュールであって、前記事前に設定したキャンセルジェスチャーが前記アプリケーションアイコンのフォルダ間移動キャンセル操作に対応する第１監視サブモジュール、又は、前記端末の事前に設定したキーに対する事前に設定したキャンセル操作を監視するように構成される第２監視サブモジュールであって、前記端末の事前に設定したキーに対する事前に設定したキャンセル操作が前記アプリケーションアイコンのフォルダ間移動キャンセル操作に対応する第２監視サブモジュールを含む。
【００２４】
本開示の実施形態の第３側面によれば、デスクトップ上のアプリケーションアイコンを移動するための装置であって、プロセッサと、前記プロセッサによって実行可能な命令を格納するためのメモリとを備え、前記プロセッサは、アプリケーションアイコンのフォルダ間移動トリガーイベントが存在することを監視する時、現デスクトップの可視領域に少なくとも１つのターゲットフォルダを表示し、前記アプリケーションアイコンのフォルダ間移動終了イベントが存在することを監視する時、前記少なくとも１つのターゲットフォルダから選択ターゲットフォルダを決定し、前記第１フォルダから前記アプリケーションアイコンを削除し、かつ前記アプリケーションアイコンを前記選択ターゲットフォルダ内に付加し、前記ターゲットフォルダは、前記アプリケーションアイコンが置かれる第１フォルダとは異なるように構成される。
【００２５】
本開示の実施形態によって与えられる技術的解決法は、以下の有益な効果を含み得る。
【００２６】
上記解決法において、アプリケーションアイコンのフォルダ間移動トリガーイベントが存在することが監視される時、少なくとも１つのターゲットフォルダが現デスクトップの可視領域に表示され、前記アプリケーションアイコンのフォルダ間移動終了イベントが存在することが監視される時、選択ターゲットフォルダが前記少なくとも１つのターゲットフォルダから決定され、前記アプリケーションアイコンが第１フォルダから削除され、かつ前記アプリケーションアイコンが選択ターゲットフォルダ内に付加される。アプリケーションアイコンを移動するための全プロセス中、ユーザに過度な手動操作は必要とされず、そのため、操作プロセスを簡易化する。
【００２７】
上記の一般的記述及び以下の詳細な説明は、単なる例示及び説明のためのものであり、特許請求の範囲で請求する本発明を限定するものではないことが理解されるべきである。
【００２８】
添付図面は、この明細書に組み込まれてその一部を構成し、本発明に該当する実施形態を例示し、本明細書と共に、本発明の原理を説明する役割を果たす。
【図面の簡単な説明】
【００２９】
【図１】図１は、第１実施形態例に従う、端末アプリケーションを管理するための方法を示すフローチャートである。
【図２】図２は、第２実施形態例に従う、端末アプリケーションを管理するための方法を示すフローチャートである。
【図３】図３は、第３実施形態例に従う、端末アプリケーションを管理するための方法を示すフローチャートである。
【図４Ａ】図４Ａは、第１実施形態例に従う、操作前の端末のデスクトップ表示結果を示す概略図である。
【図４Ｂ】図４Ｂは、第１実施形態例に従う、アプリケーションアイコンを第１フォルダから移動するためのユーザの操作命令が監視される時の端末のデスクトップ表示結果を示す概略図である。
【図４Ｃ】図４Ｃは、第１実施形態例に従う、第１フォルダにおけるコミュニケーションアプリケーションが押された時の表示結果を示す概略図である。
【図４Ｄ】図４Ｄは、第１実施形態例に従う、第１フォルダにおけるインスタントコミュニケーションアプリケーションアイコンが削除され、かつデスクトップの現アクティブインターフェースが依然として第１フォルダを示すインタフェースである時の表示結果を示す概略図である。
【図５】図５は、第１実施形態例に従う、端末アプリケーションを管理するための装置のブロック図である。
【図６】図６は、第２実施形態例に従う、端末アプリケーションを管理するための装置のブロック図である。
【図７】図７は、第２実施形態例に従う、端末アプリケーションを管理するための装置におけるターゲットフォルダ表示モジュール５１のブロック図である。
【図８】図８は、第２実施形態例に従う、端末アプリケーションを管理するための装置におけるフォルダ間移動モジュール５２のブロック図である。
【図９】図９は、第２実施形態例に従う、端末アプリケーションを管理するための装置における第４監視モジュール５８のブロック図である。
【図１０】図１０は、実施形態例に従う、端末アプリケーションを管理するための装置のブロック図である。
【発明を実施するための形態】
【００３０】
実施形態例が次に詳細に参照され、実施形態例が付随図面に例示される。以下の説明及び付随図面において、異なる図面の同じ番号が、別途表示される場合を除き、同じか又は類似の要素を表す。実施形態例の以下の記述で説明される実施形態は、本発明に該当するすべての実施形態を表すものではない。むしろ、それら実施は、特許請求の範囲に記載した本発明に関連する側面に該当する装置及び方法の単なる例である。
【００３１】
図１は、実施形態例に従う端末アプリケーションを管理するための方法を示すフローチャートである。図１に示すように、端末アプリケーションを管理するための方法は、モバイルフォン、カメラ及びタブレット等の端末装置においてアプリケーションを管理及び整理するのに使用され、以下を含む。
【００３２】
ステップＳ１０１において、アプリケーションアイコンのフォルダ間移動トリガーイベントが存在することが監視される時、少なくとも１つのターゲットフォルダが、現デスクトップの可視領域に表示される。ターゲットフォルダは、アプリケーションアイコンが置かれる第１フォルダとは異なる。
【００３３】
ステップＳ１０２において、アプリケーションアイコンのフォルダ間移動終了イベントが存在することが監視される時、選択ターゲットフォルダが少なくとも１つのターゲットフォルダから決定され、アプリケーションアイコンが第１フォルダから削除され、かつ前記選択ターゲットフォルダ内に付加される。
【００３４】
上記解決法において、アプリケーションアイコンのフォルダ間移動トリガーイベントが存在することが監視される時、現デスクトップの可視領域に少なくとも１つのターゲットフォルダが表示される。アプリケーションアイコンのフォルダ間移動終了イベントが存在することが監視される時、選択ターゲットフォルダが少なくとも１つのターゲットフォルダから決定され、アプリケーションアイコンが第１フォルダから削除され、かつ選択ターゲットフォルダ内に付加される。アプリケーションアイコンを移動するための全プロセス中、ユーザに過度な手動操作は必要とされず、そのため、操作プロセスを簡易化する。
【００３５】
図２は、第２実施形態例に従う端末アプリケーションを管理するための方法を示すフローチャートである。図２に示すように、端末アプリケーションを管理するための方法は、モバイルフォン、カメラ及びタブレット等の端末装置においてアプリケーションを管理及び整理するのに使用され、以下のステップを含む。
【００３６】
ステップＳ２０１において、アプリケーションアイコンのフォルダ間移動トリガーイベントが存在することが監視される時、少なくとも１つのターゲットフォルダが、現デスクトップの可視領域に表示される。ターゲットフォルダは、アプリケーションアイコンが置かれる第１フォルダとは異なる。
【００３７】
ここで、アプリケーションアイコンは、アプリケーションのショートカットアイコンである。
【００３８】
アプリケーションアイコンのフォルダ間移動トリガーイベントが存在することを監視することは、展開した第１フォルダにおいて、移動されるアプリケーションアイコン上で実行される所定のアクションが存在することを監視することを含む。所定のアクションは、移動されるアプリケーションのショートカットアイコンが押された状態にあって、事前に設定した時間継続することであり得、又は、移動されるアプリケーションのショートカットアイコン上での旋回アクションであり得る。
【００３９】
現デスクトップの可視領域に少なくとも１つのターゲットフォルダを表示することは、現デスクトップの可視領域に現デスクトップの第１フォルダ以外のフォルダを表示することを含む。
【００４０】
又は、現デスクトップの可視領域に少なくとも１つのターゲットフォルダを表示することは、現デスクトップの可視領域にすべてのデスクトップ中の第１フォルダ以外のフォルダを表示することを含む。このステップは、端末が複数の操作インターフェースを有する場面、すなわち、端末が複数のデスクトップを有する場面に適用できる。操作前の端末のデスクトップ表示結果を示す図である図４Ａに示すように、第１フォルダ（すなわち、移動されるアプリケーションが置かれるフォルダ）は、インスタントコミュニケーションアプリケーションアイコン、Duokan(多読)リーダアプリケーションアイコン等を含むことが分かるであろう。アプリケーションアイコンのフォルダ間移動トリガーイベントが監視される時の端末のデスクトップ表示結果を示す概略図である図４Ｂに示すように、複数のターゲットフォルダがディスプレイスクリーンの底部（すなわち、現デスクトップの可視領域）に表示されることが分かるであろう。
【００４１】
現デスクトップの可視領域に少なくとも１つのターゲットフォルダを表示することは、各ターゲットフォルダに含まれるアプリケーションアイコンを表示するだけはなく、ターゲットフォルダのみを表示することであり得、又は、図４Ｃに示すようにターゲットフォルダを表示するのみならず、各ターゲットフォルダに含まれるアプリケーションアイコンをも表示することであり得る。
【００４２】
ステップＳ２０２において、アプリケーションアイコンのフォルダ間移動終了イベントが存在することが監視される時、選択ターゲットフォルダが少なくとも１つのターゲットフォルダから決定され、アプリケーションアイコンが第１フォルダから削除され、かつ選択ターゲットフォルダ内に付加される。
【００４３】
アプリケーションアイコンのフォルダ間移動終了イベントが存在することを監視することは、アプリケーションアイコンが押された状態から解放された状態へと切り替わることを監視することを含む。図４Ｃに示すように、図４Ｃは、第１フォルダにおけるコミュニケーションアプリケーションが押された時の表示結果を示す。
【００４４】
又は、アプリケーションアイコンのフォルダ間移動終了イベントが存在することを監視することは、ターゲットフォルダ上に選択操作が存在することを監視することを含む。選択操作は事前に決められ得る。
【００４５】
アプリケーションアイコンを第１フォルダから削除し、かつ前記アプリケーションアイコンを選択ターゲットフォルダ内に付加することは、前記アプリケーションアイコンを第１フォルダから削除し、かつ前記アプリケーションアイコン以外のアプリケーションアイコンを事前に設定した規則に従って第１フォルダに配列して表示すること；及び、前記アプリケーションアイコンを、選択フォルダ内の事前に設定した位置に付加することを含む。事前に設定した規則は、例えば、各アプリケーションアイコンの大きさ、名前、修正時間等に従うアプリケーションアイコンの予め決められた配列であり得る。図４Ｄに示すように、図４Ｄは、第１フォルダ内のインスタントコミュニケーションアプリケーションアイコンが削除された後の表示結果を示す概略図である。
【００４６】
上記実施形態において、アプリケーションアイコンを移動するための全プロセス中、ユーザに過度な手動操作は必要とされず、そのため、操作プロセスを簡易化することが理解され得る。
【００４７】
あるいは、別の実施形態において、該方法はステップＳ２０３を更に含み得る。
【００４８】
ステップＳ２０３において、展開した第１フォルダは、現アクティブインターフェースとして維持される。図４Ｄに示すように、図４Ｄは、第１フォルダ内のインスタントコミュニケーションアプリケーションアイコンが削除され、かつデスクトップの現アクティブインターフェースが依然として第１フォルダを示すインタフェースである時の表示結果を示す概略図である。
【００４９】
上記実施形態において、第１フォルダからアプリケーションアイコンを移動するためのプロセス中、システムページジャンプは全くなく、現ページは、移動されるアプリケーションアイコンが移動前に位置付けられた第１フォルダとして維持される。そのため、ユーザが、第１フォルダ内の他のアプリケーションアイコンに対して移動操作の実行を継続するのに便利である。
【００５０】
あるいは、別の実施形態において、該方法はステップＳ２０４を更に含み得る。
【００５１】
ステップＳ２０４において、アプリケーションアイコンのフォルダ間移動キャンセルイベントが存在することが監視される時、ターゲットフォルダの表示が現デスクトップの可視領域においてキャンセルされる。
【００５２】
アプリケーションアイコンのフォルダ間移動キャンセルイベントが存在することを監視することは、事前に設定したキャンセルジェスチャーが現デスクトップ上で実行されることを監視することを含む。事前に設定したキャンセルジェスチャーは、事前に決められ得、また、事前に設定事前に設定したキャンセルジェスチャーは、アプリケーションアイコンのフォルダ間移動キャンセル操作に対応する。キャンセルジェスチャーとアプリケーションアイコンのフォルダ間移動キャンセル操作との間の対応も事前に決められ得る。
【００５３】
又は、アプリケーションアイコンのフォルダ間移動キャンセルイベントが存在することを監視することは、端末の事前に設定したキーに対する事前に設定したキャンセル操作が存在することを監視することを含む。事前に設定したキーに対する事前に設定したキャンセル操作は、アプリケーションアイコンのフォルダ間移動キャンセル操作に対応する。事前に設定したキャンセル操作は、事前に決められ得る。事前に設定したキーに対する事前に設定したキャンセル操作とアプリケーションアイコンのフォルダ間移動キャンセル操作との間の対応も事前に決められ得る。
【００５４】
上記実施形態において、ユーザは、操作を介してアプリケーションの移動操作を便利に終了させ得る。
【００５５】
図３は、実施形態例に従う端末アプリケーションを管理するための方法を示すフローチャートである。図３に示すように、端末アプリケーションを管理するための方法は、端末装置（例えば、モバイルフォン、カメラ及びタブレット等）又はアプリケーションで使用され、次のステップを含む。
【００５６】
ステップＳ３０１において、アプリケーションアイコンのフォルダ間移動トリガーイベントが存在することが監視される時で、かつ、ターゲットフォルダの数が現デスクトップの可視領域内の事前に設定したターゲットフォルダ表示領域に配置可能なフォルダの数を超える場合、ターゲットフォルダは、現デスクトップの可視領域の複数のページに表示される。ターゲットフォルダは、アプリケーションアイコンが置かれる第１フォルダとは異なる。ここでのアプリケーションアイコンは、アプリケーションのショートカットアイコンである。
【００５７】
アプリケーションアイコンのフォルダ間移動トリガーイベントが存在することを監視することは、展開した第１フォルダにおいて、移動されるアプリケーションアイコン上で実行される所定のアクションが存在することを監視することを含む。例えば、移動されるアプリケーションのショートカットアイコンが事前に設定した時間、押された状態にあること、又は、移動されるアプリケーションのショートカットアイコン上での旋回アクションが存在することを監視することを含む。
【００５８】
現デスクトップの可視領域に少なくとも１つのターゲットフォルダを表示することは、現デスクトップの可視領域に現デスクトップの第１フォルダ以外のフォルダを表示することを含む。又は、現デスクトップの可視領域に少なくとも１つのターゲットフォルダを表示することは、現デスクトップの可視領域にすべてのデスクトップの第１フォルダ以外のフォルダを表示することを含む。このステップは、端末が複数の操作インターフェースを有する場面、すなわち、端末が複数のデスクトップを有する場面に適用できる。操作前の端末のデスクトップ表示結果を示す概略図である図４Ａに示すように、第１フォルダ（すなわち、移動されるアプリケーションが置かれるフォルダ）は、インスタントコミュニケーションアプリケーションアイコン、多読リーダアプリケーションアイコン等を含むことが分かるであろう。アプリケーションアイコンを第１フォルダから移動するためのユーザの操作命令が監視される時の端末のデスクトップ表示結果を示す概略図である図４Ｂに示すように、第１フォルダ内のインスタントコミュニケーションアイコンが押された時、複数のターゲットフォルダがディスプレイスクリーンの底部（すなわち、現デスクトップの可視領域）に表示されることが分かるであろう。
【００５９】
ステップＳ３０２において、ターゲットフォルダ表示領域は、他のページにターゲットフォルダを表示するようにスライドされる。
【００６０】
ステップＳ３０３において、アプリケーションアイコンのフォルダ間移動終了イベントが存在することが監視される時、選択ターゲットフォルダが少なくとも１つのターゲットフォルダから決定され、アプリケーションアイコンが第１フォルダから削除され、かつ前記選択ターゲットフォルダ内に付加される。
【００６１】
アプリケーションアイコンのフォルダ間移動終了イベントが存在することを監視することは、第１フォルダにおけるコミュニケーションアイコンが押された時の表示結果を示す図４Ｃに示すように、アプリケーションアイコンが押された状態から解放された状態へと切り替わることを監視することを含む。又は、アプリケーションアイコンのフォルダ間移動終了イベントが存在することを監視することは、ターゲットフォルダ上に選択操作が存在することを監視することを含む。選択操作は実際に要求に従って決められ得る。選択操作は事前に決められ得る。
【００６２】
アプリケーションアイコンを第１フォルダから削除し、かつ前記アプリケーションアイコンを選択ターゲットフォルダ内に付加することは、前記アプリケーションアイコンを第１フォルダから削除し、かつ前記アプリケーションアイコン以外のアプリケーションアイコンを事前に設定した規則に従って第１フォルダに配列して表示すること；及び、前記アプリケーションアイコンを、選択ターゲットフォルダ内の事前に設定した位置に付加することを含む。事前に設定した規則は、例えば、各アプリケーションアイコンの大きさ、名前、修正時間等に従うアプリケーションアイコンの予め決められた配列であり得る。
【００６３】
上記実施形態において、アプリケーションアイコンを移動するための全プロセス中、ユーザに過度な手動操作は必要とされず、そのため、操作プロセスを簡易化することが理解され得る。
【００６４】
あるいは、別の実施形態において、該方法はステップＳ３０４を更に含み得る。
【００６５】
ステップＳ３０４において、展開した第１フォルダは、現アクティブインターフェースとして維持される。図４Ｄに示すように、図４Ｄは、第１フォルダ内のインスタントコミュニケーションアプリケーションアイコンが削除され、かつデスクトップの現アクティブインターフェースが依然として第１フォルダを示すインターフェースである時の表示結果を示す概略図である。
【００６６】
上記実施形態において、第１フォルダからアプリケーションアイコンを移動するためのプロセス中、システムページジャンプは全くなく、現ページは、移動されるアプリケーションアイコンが移動前に位置付けられた第１フォルダとして維持される。そのため、ユーザが、第１フォルダ内の他のアプリケーションアイコンに対して移動操作の実行を継続するのに便利である。
【００６７】
あるいは、別の実施形態において、該方法はステップＳ３０５を更に含み得る。
【００６８】
ステップＳ３０５において、アプリケーションアイコンのフォルダ間移動キャンセルイベントが存在することが監視される時、ターゲットフォルダの表示が現デスクトップの可視領域においてキャンセルされる。
【００６９】
アプリケーションアイコンのフォルダ間移動キャンセルイベントが存在することを監視することは、事前に設定したキャンセルジェスチャーが現デスクトップ上で実行されることを監視することを含む。事前に設定したキャンセルジェスチャーは、アプリケーションアイコンのフォルダ間移動キャンセル操作に対応する。事前に設定したキャンセルジェスチャーは、事前に決められ得、また、事前に設定したキャンセルジェスチャーとアプリケーションアイコンのフォルダ間移動キャンセル操作との間の対応も事前に決められ得る。
【００７０】
又は、アプリケーションアイコンのフォルダ間移動キャンセルイベントが存在することを監視することは、端末の事前に設定したキーに対する事前に設定したキャンセル操作が存在することを監視することを含む。事前に設定したキーに対する事前に設定したキャンセル操作は、アプリケーションアイコンのフォルダ間移動キャンセル操作に対応する。事前に設定したキャンセル操作は、事前に決められ得る。事前に設定したキーに対する事前に設定したキャンセル操作とアプリケーションアイコンのフォルダ間移動キャンセル操作との間の対応も事前に決められ得る。
【００７１】
上記実施形態は、フォルダ内のアプリケーションアイコンを移動する手順を簡易化し、
これは、移動時間を短縮化し、ユーザ体験を高める。
【００７２】
本開示の提供場面が以下に記述される。この適用場面において、端末アプリケーションを管理するための方法は以下のステップを含む。
【００７３】
ステップ１において、ユーザがあるフォルダ内のアプリケーションアイコンを移動させる必要があることが監視される（該フォルダ内の該アプリケーションアイコンを長押ししたことが監視される）時、デスクトップ上のすべての他のフォルダが現フォルダに可視的に表示される。
【００７４】
ステップ２において、フォルダ内のアプリケーションを移動する操作が完了した後、現インターフェースに表示されるものは、依然として移動操作前のアプリケーションフォルダである。そのため、該インターフェースはジャンプする必要がない。ユーザにとって、このフォルダにおける他のアプリケーションアイコンに対する移動操作の実行を便利に継続し得る。換言すれば、アプリケーションアイコンが底部フォルダ領域内のフォルダのいずれかに移動した後、現フォルダは閉じず、ユーザに見えるページはジャンプしない。すなわち、現ページは依然として、アプリケーションアイコンがもともと位置付けられたフォルダである。
【００７５】
この適用場面において、ユーザが、第１フォルダ内の１つのアプリケーションアイコンを長押した時、現デスクトップ上のすべての他のフォルダのリストがフォルダの底部のスクリーン可視領域に表示される。ユーザは、該アプリケーションアイコンを長押し状態で任意の１つのフォルダへとドラッグして手を解放し（長押しをキャンセルし）得、これにより、該アプリケーションアイコンは、対応する第２フォルダ内に自動的に移動され得る（すなわち、該アプリケーションアイコンは、第１フォルダにおいて消え、第２フォルダ内の最後の位置に自動的に置かれる。）。
【００７６】
図５に示すように、端末アプリケーションを管理するための装置が提供される。該装置は、次のターゲットフォルダ表示モジュール５１及びフォルダ間移動モジュール５２を含む。
【００７７】
ターゲットフォルダ表示モジュール５１は、アプリケーションアイコンのフォルダ間移動トリガーイベントが存在することが監視される時、現デスクトップの可視領域に少なくとも１つのターゲットフォルダを表示するように構成される。ターゲットフォルダは、アプリケーションアイコンが置かれる第１フォルダとは異なる。
【００７８】
フォルダ間移動モジュール５２は、アプリケーションアイコンのフォルダ間移動終了イベントが存在することが監視される時、少なくとも１つのターゲットフォルダから選択ターゲットフォルダを決定し、第１フォルダからアプリケーションアイコンを削除し、かつ該アプリケーションアイコンを選択ターゲットフォルダ内に付加するように構成される。
【００７９】
上記解決法において、アプリケーションアイコンのフォルダ間移動トリガーイベントが存在することが監視される時、現デスクトップの可視領域に少なくとも１つのターゲットフォルダが表示される。アプリケーションアイコンのフォルダ間移動終了イベントが存在することが監視される時、選択ターゲットフォルダが少なくとも１つのターゲットフォルダから決定され、アプリケーションアイコンが第１フォルダから削除され、かつ選択ターゲットフォルダ内に付加される。アプリケーションアイコンを移動するための全プロセス中、ユーザに過度な手動操作は必要とされず、そのため、操作プロセスを簡易化する。
【００８０】
図６に示すように、端末アプリケーションを管理するための装置が提供される。該装置は、次のターゲットフォルダ表示モジュール５１及びフォルダ間移動モジュール５２を含む。
【００８１】
ターゲットフォルダ表示モジュール５１は、アプリケーションアイコンのフォルダ間移動トリガーイベントが存在することが監視される時、現デスクトップの可視領域に少なくとも１つのターゲットフォルダを表示するように構成される。ターゲットフォルダは、アプリケーションアイコンが置かれる第１フォルダとは異なる。
【００８２】
フォルダ間移動モジュール５２は、アプリケーションアイコンのフォルダ間移動終了イベントが存在することが監視される時、少なくとも１つのターゲットフォルダから選択ターゲットフォルダを決定し、第１フォルダからアプリケーションアイコンを削除し、かつ該アプリケーションアイコンを選択ターゲットフォルダ内に付加するように構成される。
【００８３】
一実施形態において、本開示により提供される、端末アプリケーションを管理するための装置は、維持モジュール５３を更に含む。維持モジュール５３は、フォルダ間移動モジュールがアプリケーションアイコンを選択ターゲットフォルダ内に付加した後、展開した第１フォルダを現アクティブインターフェースとして維持するように構成される。
【００８４】
上記実施形態において、第１フォルダからアプリケーションアイコンを移動するためのプロセス中、システムページジャンプは全くなく、現ページは、移動されるアプリケーションアイコンが移動前に第１フォルダが位置付けられるページとして維持される。そのため、ユーザが、第１フォルダ内の他のアプリケーションアイコンの移動操作を継続して実行するのに便利である。
【００８５】
一実施形態において、端末は第１監視モジュール５４を更に含む。
【００８６】
第１監視モジュール５４は、展開した第１フォルダにおいて、移動されるアプリケーションアイコン上で実行される所定のアクションを監視するように構成される。
【００８７】
一実施形態において、端末は更にスライドモジュール５５を備える。
【００８８】
スライドモジュール５５は、ターゲットフォルダ表示領域をスライドして、他のページにターゲットフォルダを表示するように構成される。
【００８９】
一実施形態において、端末は、第２監視モジュール５６を更に含む。
【００９０】
第２監視モジュール５６は、アプリケーションアイコンが押された状態から解放状態へと切り替わることを監視するように構成される。
【００９１】
第３監視モジュール５７は、ターゲットフォルダ上の選択操作を監視するように構成される。
【００９２】
一実施形態において、端末は、第４監視モジュール５８及びキャンセルモジュール５９を更に含む。
【００９３】
第４監視モジュール５８は、アプリケーションアイコンのフォルダ間移動キャンセルイベントを監視するように構成される。
【００９４】
キャンセルモジュール５９は、アプリケーションアイコンのフォルダ間移動キャンセルイベントが存在することが監視される時、現デスクトップの可視領域におけるターゲットフォルダの表示をキャンセルするように構成される。
【００９５】
一実施形態において、図７に示すように、ターゲットフォルダ表示モジュール５１は、第１表示サブモジュール５１１又は第２表示サブモジュール５１２を含む。
【００９６】
第１表示サブモジュール５１１は、現デスクトップの可視領域に現デスクトップ中の第１フォルダ以外のフォルダを表示するように構成される。第２表示サブモジュール５１２は、現デスクトップの可視領域にすべてのデスクトップの第１フォルダ以外のフォルダを表示するように構成される。
【００９７】
一実施形態において、図７に示すように、ターゲットフォルダ表示モジュール５１は、第３表示サブモジュール５１３を含む。
【００９８】
第３表示サブモジュール５１３は、ターゲットフォルダの数が、現デスクトップの可視領域内の事前に設定したターゲットフォルダ表示領域に配置可能なフォルダの数を超える場合、ターゲットフォルダを複数のページに表示するように構成される。
【００９９】
一実施形態において、図８に示すように、フォルダ間移動モジュール５２は、配列サブモジュール５２１及び付加サブモジュール５２２を含む。
【０１００】
配列サブモジュール５２１は、第１フォルダにおいて、アプリケーションアイコン以外のアプリケーションアイコンを事前に設定した規則に従って配列して表示するように構成される。
【０１０１】
付加サブモジュール５２２は、アプリケーションアイコンを、選択ターゲットフォルダ内の事前に設定した位置に付加するように構成される。
【０１０２】
一実施形態において、図９に示すように、第４監視モジュール５８は、第１監視サブモジュール５８１又は第２サブ監視モジュール５８２を含む。
【０１０３】
第１監視サブモジュール５８１は、現デスクトップ上で実行される事前に設定したキャンセルジェスチャーを監視するように構成される。事前に設定したキャンセルジェスチャーは、アプリケーションアイコンのフォルダ間移動キャンセル操作に対応する。第２サブ監視モジュール５８２は、端末の事前に設定したキーに対する事前に設定したキャンセル操作を監視するように構成される。端末の事前に設定したキーに対する事前に設定したキャンセル操作は、アプリケーションアイコンのフォルダ間移動キャンセル操作に対応する。
【０１０４】
上記実施形態において、アプリケーションアイコンを移動するための全プロセス中、ユーザに過度な手動操作は必要とされず、そのため、操作プロセスを簡易化することが理解され得る。
【０１０５】
上記実施形態における装置に関し、装置における個々のモジュールのための操作を実行するための具体的な態様が、端末アプリケーションを管理するための方法に関する実施形態において詳細に記述された。端末アプリケーションはここでは詳しく述べない。
【０１０６】
図１０は、実施形態例に従う端末アプリケーションを管理するための装置１２００のブロック図である。該装置は、端末装置に適用可能である。例えば、装置１２００は、モバイルフォン、コンピュータ、デジタル放送端末、メッセージング装置、ゲーミングコンソール、タブレット、医療装置、運動器具、パーソナルデジタルアシスタント等であり得る。
【０１０７】
図１０を参照して、装置１２００は、１つ又は複数の次の構成要素、すなわち、処理要素１２０２、メモリ１２０４、電源要素１２０６、マルチメディア要素１２０８、音声要素１２１０、入力／出力（Ｉ／Ｏ）インターフェース１２１２、センサ要素１２１４、及び通信要素１２１６を含み得る。
【０１０８】
処理要素１２０２は、一般的に、ディスプレイ、通話、データ通信、カメラ操作、及び記録操作等の装置１２００の全体的な操作を制御する。処理要素１２０２は、上述した方法におけるステップの全部又は一部を実施する命令を実行する１つ又は複数のプロセッサ１２２０を含み得る。更に、処理要素１２０２は、処理要素１２０２と他の構成要素との間の対話を助長する１つ又は複数のモジュールを含み得る。例えば、処理要素１２０２は、マルチメディア要素１２０８と処理要素１２０２との間の対話を助長するマルチメディアモジュールを含み得る。
【０１０９】
メモリ１２０４は、装置１２００の操作をサポートする種々のタイプのデータを格納するように構成される。そのようなデータの例は、任意のアプリケーション又は方法のための命令、連絡先データ、電話帳データ、メッセージ、写真、ビデオ等を含む。メモリ１２０４は、任意のタイプの揮発性又は不揮発性メモリ素子、又はこれらの組み合わせ、例えば、スタティックランダムアクセスメモリ（ＳＲＡＭ）、電気的消去可能プログラム可能リードオンリーメモリ（ＥＥＰＲＯＭ）、消去可能プログラム可能リードオンリーメモリ（ＥＰＲＯＭ）、プログラム可能リードオンリーメモリ（ＰＲＯＭ）、リードオンリーメモリ（ＲＯＭ）、磁気メモリ、フラッシュメモリ、磁気又は光ディスク等を用いて実装され得る。
【０１１０】
電源要素１２０６は、装置１２００の種々の構成要素に電力を供給する。電源要素１２０６は、電源管理システムと、１つ又は複数の電源と、装置１２００における電力の発生、管理、及び分配に関連する任意の他の構成要素とを含み得る。
【０１１１】
マルチメディア要素１２０８は、装置１２００とユーザとの間に出力インターフェースを提供するスクリーンを含む。ある実施形態において、スクリーンは、液晶ディスプレイ（ＬＣＤ）及びタッチパネル（ＴＰ）を含み得る。スクリーンがタッチパネルを含む場合、スクリーンは、ユーザから入力信号を受け取るタッチスクリーンとして実装され得る。タッチパネルは、タッチパネル上のタッチ、スワイプ及びジェスチャーを感知する１つ又は複数のタッチセンサを含む。タッチセンサは、タッチ又はスワイプアクションの境界を感知するのみならず、タッチ又はスワイプアクションに関連する時間及び圧力をも感知し得る。ある実施形態において、マルチメディア要素１２０８は、フロントカメラ及び／又はリアカメラを含む。装置１２００が撮影モード又はビデオモード等の操作モードにある間、フロントカメラ及びリアカメラは、外部マルチメディアデータを受け取り得る。フロントカメラ及びリアカメラ各々は、固定光学レンズ系であり得、又は、フォーカス及び光学ズーム機能を有し得る。
【０１１２】
音声要素１２１０は、音声信号を出力及び／又は入力するように構成される。例えば、音声要素１２１０は、装置１２００が電話モード、録音モード及び音声認識モード等の操作モードにある時、外部音声信号を受け取るマイクロフォン（「ＭＩＣ」）を含む。受け取った音声信号は、メモリ１２０４に更に格納されるか又は通信要素１２１６を介して送信され得る。ある実施形態において、音声要素１２１０は、音声信号を出力するスピーカを更に含む。
【０１１３】
Ｉ／Ｏインターフェース１２１２は、インターフェース処理要素１２０２と、キーボード、クリックホイール、ボタン等の周辺インターフェースモジュールとの間にインターフェースを提供する。ボタンは、ホームページボタン、音量ボタン、スタートボタン、及びロックボタンを含み得るが、これらには限定されない。
【０１１４】
センサ要素１２１４は、装置１２００の種々の側面の状態評価を提供する１つ又は複数のセンサを含む。例えば、センサ要素１２１４は、装置１２００の開／閉状態、装置１２００の構成要素、例えばディスプレイ及びキーパッドの相対的位置付け、構成要素の相対的位置、装置１２００又は装置１２００の構成要素の位置の変化、装置１２００とユーザとの接触の有無、装置１２００の向き又は加速／減速、及び、装置１２００の温度の変化を検出し得る。センサ要素１２１４は、何らの物理的接触を伴うことなく、近くの物体の存在を検出するように構成された近接センサを含み得る。センサ要素１２１４は、画像化用途で使用される、例えばＣＭＯＳ又はＣＣＤ画像センサ等の光センサをも含み得る。ある実施形態において、センサ要素１２１４は、加速度計センサ、ジャイロスコープセンサ、磁気センサ、圧力センサ、又は温度センサをも含み得る。
【０１１５】
通信要素１２１６は、装置１２００と他の機器との間の有線又は無線通信を助長するように構成される。装置１２００は、通信標準、例えばＷｉＦｉ、２Ｇ又は３Ｇ、又はこれらの組み合わせ等に基づく無線ネットワークにアクセスすることができる。一実施形態例において、通信要素１２１６は、放送チャネルを介して外部放送管理システムから放送信号又は放送関連情報を受信する。一実施形態例において、通信要素１２１６は、短距離通信を助長する近距離無線通信（ＮＦＣ）モジュールを更に含む。例えば、ＮＦＣモジュールは、無線周波数識別（ＲＦＩＤ）技術、赤外線データ境界（ＩｒＤＡ）技術、超高帯域（ＵＷＢ）技術、ブルートゥース（登録商標）（ＢＴ）技術、及び他の技術に基づいて実装され得る。
【０１１６】
実施形態例において、装置１２００には、上述した方法を実行するために、１つ又は複数の特定用途向け集積回路（ＡＳＩＣ）、デジタルシグナルプロセッサ（ＤＳＰ）、デジタル信号処理装置（ＤＳＰＤ）、プログラマブルロジックデバイス（ＰＬＤ）、現場でプログラム可能なゲートアレイ（ＦＰＧＡ）、コントローラ、マイクロコントローラ、マイクロプロセッサ、又は他の電子部品が実装され得る。
【０１１７】
実施形態例において、上述した方法を実施するための、装置１２００のプロセッサ１２２０によって実行可能な、メモリ１２０４に含まれるような命令を含む非一時的コンピュータ可読記憶媒体が提供される。例えば、非一時的コンピュータ可読記憶媒体は、ＲＯＭ、ＲＡＭ、ＣＤ−ＲＯＭ、磁気テープ、フロッピーディスク、光データ記憶装置等であり得る。
【０１１８】
非一時的コンピュータ可読記憶媒体は命令を格納しており、該命令は、端末のプロセッサにより実行されると、該端末に、端末アプリケーションを管理するための方法を実行させる。該方法は、以下のステップを含む。
【０１１９】
アプリケーションアイコンのフォルダ間移動トリガーイベントが存在することを監視する時、現デスクトップの可視領域に少なくとも１つのターゲットフォルダを表示するステップにして、前記ターゲットフォルダが前記アプリケーションアイコンが置かれる第１フォルダとは異なる該ステップ；及び、
アプリケーションアイコンのフォルダ間移動終了イベントが存在することを監視する時、前記少なくとも１つのターゲットフォルダから選択ターゲットフォルダを決定し、前記アプリケーションアイコンを第１フォルダから削除し、かつ前記選択ターゲットフォルダ内に付加するステップ。
【０１２０】
本発明の他の実施形態は、ここに開示した本発明の明細書及び実施を考慮すれば、当業者には明らかであろう。この出願は、本発明の原則に従う本発明のいかなるバリエーション、使用又は改作をも包含することが企図され、本発明のバリエーション、使用又は改作は、既知の又は慣例の技術的実施に入るような本開示からのそのような逸脱を含む。本明細書及び実施例は単なる例示とみなされることが企図される。本発明の真の範囲及び精神は、以下の特許請求の範囲によって示される。
【０１２１】
本発明は、上記しかつ付随図面に例示した正確な構成には限定されず、本発明の範囲から逸脱することなく、種々の変形及び変更がなされ得ることが理解される。本発明の範囲は特許請求の範囲によってのみ限定されることが企図される。
【図１】
0006259081.tif 000002
【図２】
0006259081.tif 000003
【図３】
0006259081.tif 000004
【図４Ａ】
0006259081.tif 000005
【図４Ｂ】
0006259081.tif 000006
【図４Ｃ】
0006259081.tif 000007
【図４Ｄ】
0006259081.tif 000008
【図５】
0006259081.tif 000009
【図６】
0006259081.tif 000010
【図７】
0006259081.tif 000011
【図８】
0006259081.tif 000012
【図９】
0006259081.tif 000013
【図１０】
0006259081.tif 000014